(57)【要約】【課題】太陽電池モジュールパネルや緑化パネル自体のサイズ、形状などに制約されることなく、設置自由度を大きく保持することのできる屋根上設備の支持フレームの取付金具を提供する。【解決手段】金属製屋根の屋根板から直角方向に立ち上げて上端側を馳ぜ締め結着して設けられた細幅帯長板状の立て馳ぜ部の両側面に、立て馳ぜ部を挟むようにあてがわって一対の縦支持板を対向配置させる。縦支持板の上端に屋根上設備の支持フレームを受ける受部を設け、一対の縦支持板の縦方向中間部を両縦支持板の近接方向に締め付ける締め付け機構と、を備える。縦支持板は、縦方向中間部に馳ぜ締め結着部を内包するように外側に膨拡した膨拡部と、立て馳ぜ部の下部に当接して同下部をそれぞれ締め付け圧接する圧接端を有する下部圧接部と、を備える。立て馳ぜ部を利用して受部を固定した縦支持板を屋根板に直角状に立設固定させる。【選択図】図１
0003159601.tif 000002
【実用新案登録請求の範囲】
【請求項１】
金属製屋根の屋根板から直角方向に立ち上げて上端側を馳ぜ締め結着して設けられた細幅帯長板状の立て馳ぜ部の両側面に、立て馳ぜ部を挟むようにあてがわれて対向配置される一対の縦支持板と、
縦支持板の上端に連接され屋根上設備の支持フレームを受ける受部と、
一対の縦支持板の縦方向中間部を両縦支持板の近接方向に締め付ける締め付け機構と、を備え、
縦支持板は、縦方向中間部に馳ぜ締め結着部を内包するように外側に膨拡した膨拡部と、
膨拡部に一体接続されて立て馳ぜ部の下端側を挟み付けるように膨拡部から立て馳ぜ部側に向けて曲げられた縦支持板の下部であって、立て馳ぜ部の下部に当接して同下部をそれぞれ締め付け圧接する圧接端を有する下部圧接部と、を備えたことを特徴とする屋根上設備の支持フレームの取付金具。
【請求項２】
１つの縦支持板と受部と膨拡部と下部圧接部は１つの金属板材として一体化して形成されていることを特徴とする請求項１記載の屋根上設備の支持フレームの取付金具。
【請求項３】
受部は、それぞれの縦支持板の上端からＬ字状に曲折さた受板部を含むことを特徴とする請求項１又は２記載の屋根上設備の支持フレームの取付金具。
【請求項４】
締め付け機構は、立て馳ぜ部の上端よりも高位の縦支持板の膨拡部に穿孔した孔を貫通するボルトと、ボルトに螺合するナットと、を含む請求項１ないし３のいずれかに記載の屋根上設備の支持フレームの取付金具。
【請求項５】
縦支持板の下部圧接部の圧接端から屋根板材の上面に沿うように外側に曲折延長して形成され、屋根板材の上面側に当接する屋根材当接板を含む請求項１ないし４のいずれかに記載の屋根上設備の支持フレームの取付金具。
【請求項６】
縦支持板と受部と膨拡部と下部圧接部を一体化した第１金具と、これと対をなす第２金具は、同一形状で構成されていることを特徴とする請求項２ないし５のいずれかに記載の屋根上設備の支持フレームの取付金具。
【請求項７】
金属製屋根の屋根板から直角方向に立ち上げて上端側を馳ぜ締め結着して設けられた細幅帯長板状の立て馳ぜ部と、
立て馳ぜ部を両側から挟み付けて連結した請求項１ないし６のいずれかに記載の取付金具と、
請求項１ないし６のいずれかに記載の取付金具を取付支持手段としてその受部を介して連結した屋根上設備の支持フレームと、を含む屋根上設備の支持フレームの取付構造。
【考案の詳細な説明】
【技術分野】
【０００１】
本考案は、太陽電池モジュールや緑化屋根等の屋根上設備の支持フレームの取付金具及び屋根上設備の支持フレームの取付構造に関する。
【背景技術】
【０００２】
建物の上部を覆い、雨や雪等の天候の変化、強風や太陽の強い日差し、気温の変化、工場のばい煙や大気中の粉塵降下からの防止等のために建物構造材としての屋根が不可欠である。屋根材として、伝統的な瓦や人工スレート化粧板、金属屋根などがあり、中でも金属屋根は、近時のＣＯ２削減による地球温暖化防止、地球環境保護などの面から地球あるいは人類全体を守る意識が世界中で高揚する中、個人や事業レベルでの寄与が期待できることもあって太陽電池モジュールや緑化設備が設置しやすい点から、屋根材としての採用が増加している。
【０００３】
金属屋根は、耐水・防雨性、施工性、少ない施工時間などの点で有利であり、例えば、瓦棒葺き、立馳ぜ葺き、太陽電池モジュールや緑化設備を金属屋根上に設置する場合、折板葺き、さらには、それらのうちでも縦葺き、横葺きなどの工法があるが、簡易構造、低コスト、緩傾斜施工が可能で降雨時の雨音も少ない立馳ぜ葺きの金属屋根が普及しつつある。立馳ぜ葺き屋根は、図７、８、９に示すように単位屋根板Ｐの両端対向辺の押し立て、曲げ形状を異ならせて重ね嵌合部分の馳ぜ部Ｋを圧着して防雨性能及び強度を向上させたものである。従来、このような立馳ぜ葺き屋根に例えば太陽電池モジュールを施工する場合、単位屋根板の平面部１００に図示しない取付金具を複数個所にビス止め固定し、それらの取付金具を台として支持フレームを載置し、さらにその上に太陽電池モジュールフレームなどを固定して設置するものであった。このため、従来、立馳ぜ式金属屋根上に太陽電池モジュールを設置する際には、屋根板面にビス孔を複数穿孔するから、この部分において、雨漏り、屋根材の腐食、錆び付きを生じ、早期に見栄えが劣るようになる欠点があった。これに対し、太陽電池モジュールパネル等の取り付け装置として例えば、特許文献１のものが提案されている。
【先行技術文献】
【特許文献】
【０００４】
【特許文献１】特開２０００−１７９１０６号公報
【考案の概要】
【考案が解決しようとする課題】
【０００５】
特許文献１の装置は、特定はぜ形状の金属製外囲板（８）を下地材上に並列配置し、隣接する外囲板（８）を縦はぜ部（１５）が形成されるように接続する。そして、太陽電池モジュールパネルなどのパネル状構造物(３０)の縁部に凹溝部（３０ａ）を設け、金属製取付金具（１４）のスライド嵌合部（２８）を縦はぜ部（１５）に嵌合し、パネル状構造物(３０)の縁部を取付金具（１４）の載置水平部（２６）に載置し、押え板（３２）を、ビス（３４）により取付金具（１４）の上位水平部(２４)に締め付け、押さえ板（３２）と取付金具（１４）の載置水平部（２６）とでパネル状構造物（３０）を狭圧するものである。しかしながら、この特許文献１の装置では、屋根面に凹凸がなく平坦に仕上げるフラットルーフタイプの屋根面が望める反面、金属屋根板材のはぜ形状自体が特殊な形状を指定し、さらに、その縦はぜ部に載置される取付金具（１４）も特殊な形状構造であり、製造コストが高いものとなり、作業手順が煩雑で作業時間が長い上に、太陽電池モジュールパネルなどのパネル状構造物(３０)の縁部形状や、太陽電池モジュールパネル自体のサイズなどがこれらの屋根材の規格に適合する必要があり、太陽電池モジュールパネルの設置自由度が大幅に制限されたり、施工する建物によっては、取り付けること自体が困難となる場合があった。
【０００６】
本考案は上記従来の課題に鑑みてなされたものであり、その目的は、屋根材にビス孔等を開けることが不要で雨漏りや劣化のおそれをなくし、さらに、簡単な構成で作業、材料コストを低減し、施工時間を短時間で完了できるばかりでなく、太陽電池モジュールパネルや緑化パネル自体のサイズ、形状などに制約されることなく、設置自由度を大きく保持することのできる屋根上設備の支持フレームの取付金具及び屋根上設備の支持フレームの取付構造を提供することにある。
【課題を解決するための手段】
【０００７】
上記課題を解決するために本考案は、金属製屋根の屋根板Ｐから直角方向に立ち上げて上端側を馳ぜ締め結着して設けられた細幅帯長板状の立て馳ぜ部２の両側面に、立て馳ぜ部を挟むようにあてがわれて対向配置される一対の縦支持板１０、１１と、縦支持板１０、１１の上端に連接され屋根上設備Ｒの支持フレーム１１０を受ける受部２０と、一対の縦支持板１０、１１の縦方向中間部を両縦支持板の近接方向に締め付ける締め付け機構３０と、を備え、縦支持板１０、１１は、縦方向中間部に馳ぜ締め結着部５を内包するように外側に膨拡した膨拡部４０と、膨拡部４０に一体接続されて立て馳ぜ部２の下端側を挟み付けるように膨拡部４０から立て馳ぜ部側に向けて曲げられた縦支持板の下部であって、立て馳ぜ部２の下部に当接して同下部をそれぞれ締め付け圧接する圧接端６２を有する下部圧接部６０と、を備えた屋根上設備の支持フレームの取付金具１から構成される。本考案の取付金具１は、立て馳ぜ部を有するほとんどの金属屋根に対して適用可能である。
【０００８】
その際、１つの縦支持板１０又は１１と受部２０と膨拡部４０と下部圧接部６０は１つの金属板材として一体化して形成されているとよい。１つの縦支持板１０又は１１と受部２０と膨拡部４０と下部圧接部６０は１枚の金属板材を曲げ形成したり、溶接接合して一体化したものでもよい。また、一部嵌合組み付けたものを任意の締結部材や固定部材で固定させたものでも良い。
【０００９】
また、受部２０は、それぞれの縦支持板１０又は１１の上端からＬ字状に曲折さた受板部２２を含むとよい。
【００１０】
また、締め付け機構３０は、立て馳ぜ部２の上端よりも高位の縦支持板の膨拡部４０に穿孔した孔４０２を貫通するボルト３２と、ボルトに螺合するナット３４と、を含むようにしてもよい。
【００１１】
また、縦支持板１０または１１の下部圧接部６０の圧接端６２から屋根板材Ｐの上面に沿うように外側に曲折延長して形成され、屋根板材の上面側に当接する屋根材当接板７０を含むとよい。
【００１２】
さらに、縦支持板１０または１１と受部２０と膨拡部４０と下部圧接部６０を一体化した第１金具１−１と、これと対をなす第２金具１−３は、同一形状で構成されているとよい。
【００１３】
また、本考案は、金属製屋根の屋根板Ｐから直角方向に立ち上げて上端側を馳ぜ締め結着して設けられた細幅帯長板状の立て馳ぜ部２と、立て馳ぜ部２を両側から挟み付けて連結した請求項１ないし５のいずれかに記載の取付金具１と、請求項１ないし５のいずれかに記載の取付金具１を取付支持手段としてその受部２０を介して連結した屋根上設備Ｒの支持フレーム１１０と、を含む屋根上設備の支持フレームの取付構造から構成される。
【考案の効果】
【００１４】
本考案に係る屋根上設備の支持フレームの取付金具によれば、金属製屋根の屋根板から直角方向に立ち上げて上端側を馳ぜ締め結着して設けられた細幅帯長板状の立て馳ぜ部の両側面に、立て馳ぜ部を挟むようにあてがわれて対向配置される一対の縦支持板と、縦支持板の上端に連接され屋根上設備の支持フレームを受ける受部と、一対の縦支持板の縦方向中間部を両縦支持板の近接方向に締め付ける締め付け機構と、を備え、縦支持板は、縦方向中間部に馳ぜ締め結着部を内包するように外側に膨拡した膨拡部と、膨拡部に一体接続されて立て馳ぜ部の下端側を挟み付けるように膨拡部から立て馳ぜ部側に向けて曲げられた縦支持板の下部であって、立て馳ぜ部の下部に当接して同下部をそれぞれ締め付け圧接する圧接端を有する下部圧接部と、を備えた構成であるから、例えば金属屋根の平面部の４０ｃｍ程度間隔に流れ方向に形成された複数の細幅帯長板状の立て馳ぜ部を有するのみの屋根構造であっても、平面部に釘やボルト孔を穿孔して雨漏り、耐久性低下を生じさせることなく、立て馳ぜ部を利用して太陽光モジュールパネルや緑化設備等の屋根上設備の支持フレームを確実に支持することが可能となり、その結果、このような支持物がない屋根面上にもこれらの設備を設置し、屋根上の利用範囲を拡大させることができる。また、取付金具は基本的には、立て馳ぜ部を挟むようにあてがわれて対向配置される一対の金具等の構成であるから、施工作業が簡単で、材料コスト及び作業コストが低廉であり、しかも短時間での作業完了を実現することができる。
【００１５】
また、１つの縦支持板と受部と膨拡部と下部圧接部は１つの金属板材として一体化して形成されている構成であるから、金具の構成が簡単で部品点数が少なく、屋根上等の高所作業や部品管理をしやすくするとともに、施工作業の簡単化を実現し得る。
【００１６】
また、受部は、それぞれの縦支持板の上端からＬ字状に曲折さた受板部を含む構成であるから、取付金具の上部に載置させる屋根上設備の支持フレームを水平状に支持し、設備の安定した支持、施工や設置時の傾斜角度設定等を行ないやすい。
【００１７】
また、締め付け機構は、立て馳ぜ部の上端よりも高位の縦支持板の膨拡部に穿孔した孔を貫通するボルトと、ボルトに螺合するナットと、を含む構成であるから、簡単な構造で確実に縦支持板を対向近接方向に締め付けさせることができる上に、立て馳ぜ部の上端位置で締め付け機能を行なうので立て馳ぜ部による締め付け力阻害を生じないようにさせつつ、同時に、立て馳ぜ部を利用して金具の固定を確実に行なえるようにし得る。
【００１８】
また、縦支持板の下部圧接部の圧接端から屋根板材の上面に沿うように外側に曲折延長して形成され、屋根板材の上面側に当接する屋根材当接板を含む構成であるから、屋根材当接板が縦支持板の下部の安定板として機能し、立て馳ぜ部への取付金具の固定時において、立て馳ぜ部の板面と直交方向の力に対してより安定的に該取付金具を支持させることができる。
【００１９】
また、縦支持板と受部と膨拡部と下部圧接部を一体化した第１金具と、これと対をなす第２金具は、同一形状で構成されていることにより、部品種類を少なくし１つの種類の製作部品数を多くして低コスト化を達成しうる。また、在庫管理、材料調達がしやすくなる、という効果を奏する。
【００２０】
本考案に係る屋根上設備の支持フレームの取付構造によれば、金属製屋根の屋根板から直角方向に立ち上げて上端側を馳ぜ締め結着して設けられた細幅帯長板状の立て馳ぜ部と、立て馳ぜ部を両側から挟み付けて連結した請求項１ないし６のいずれかに記載の取付金具と、請求項１ないし６のいずれかに記載の取付金具を取付支持手段としてその受部を介して連結した屋根上設備の支持フレームと、を含む構成であるから、複数の細幅帯長板状の立て馳ぜ部を有するのみの屋根構造であっても、平面部に釘やボルト孔を穿孔して雨漏り、耐久性低下を生じさせることなく、立て馳ぜ部を利用して太陽光モジュールパネルや緑化設備等の屋根上設備の支持フレームを確実に支持することが可能となり、その結果、このような支持物がない屋根面上にもこれらの設備を設置し、屋根上の利用範囲を拡大させることができる。また、取付金具は基本的には、立て馳ぜ部を挟むようにあてがわれて対向配置される一対の金具等の構成であるから、施工作業が簡単で、材料コスト及び作業コストが低廉であり、しかも短時間での作業完了を実現することができる。
【図面の簡単な説明】
【００２１】
【図１】本考案の第１実施形態に係る屋根上設備の支持フレームの取付金具の正面図である。
【図２】図１の取付金具の左側面図である。
【図３】図１の取付金具を用いて屋根板の立て馳ぜ部に挟着固定させて支持フレーム及びそれに支持される屋根上設備の一部を示した拡大正面説明図である。
【図４】図１の取付金具を用いて屋根板の立て馳ぜ部に挟着固定させた状態の斜視説明図である。
【図５】図１の取付金具を屋根板の立て馳ぜ部に挟着固定させる際の動きを説明する作用説明図である。
【図６】図１の取付金具を用いて屋根板の立て馳ぜ部に挟着固定させて支持フレーム及びそれに支持される屋根上設備の一部を示した拡大斜視説明図である。
【図７】図１の取付金具を適用する屋根板について、その単位屋根板を示す斜視説明図である。
【図８】図７の単位屋根板と他の単位屋根板の馳ぜ部を嵌合させた状態を示す拡大説明図である。
【図９】図７の馳ぜ部の嵌合状態から馳ぜ締めして馳ぜ締め結着部を形成させた状態の斜視説明図である。
【図１０】本考案の第２実施形態に係る屋根上設備の支持フレームの取付金具の正面図である。
【考案を実施するための形態】
【００２２】
次に、本考案の第１の実施形態に係る屋根上設備の支持フレームの取付金具について図１〜図５を参照して説明する。本考案の屋根上設備の支持フレームの取付金具は、所定の矩形金属板材の端を折り曲げ、引っ掛け合わせて繋いで屋根板面を形成する立馳ぜ工法により形成される金属屋根の該立馳ぜ部に外嵌される取付金具である。
【００２３】
図７は、本考案の第１実施形態の屋根上設備の支持フレームの取付金具１を取付適用する立て馳ぜ部２を形成する１つの金属屋根部材を示しており、図において、横５０ｃｍ、縦１００ｃｍ程度の矩形金属板の両端長辺側に第１、第２片馳ぜ部３，４が設けられている。金属屋根材は、例えば、鋼板、銅、ステンレス、アルミニウムなどが用いられ、それぞれ強度、耐候性保持のために亜鉛めっき鋼板、ガルバリウム鋼板、カラー鋼板、塗装鋼板、あるいはそれらに防水被膜や防水加工を施した屋根材が用いられる。第１片馳ぜ部３となる一方側は、平面部１００から垂直方向に立ち上がる立ち上がり部１０２を含んで下向き開口のコ字状に曲げられた態様であるのに対し、第２片馳ぜ部４の他方側は、平面部１００から垂直方向に立ち上がる立ち上がり部１０４を含んでＬ字状に曲げられた態様である。そして、図８に示すように、隣接する単位金属板材Ｐの第１片馳ぜ部３を第２片馳ぜ部４に外嵌させ、この状態で図８矢視ｑ方向に馳ぜ締めすることにより、図９に示すような馳ぜ締め結着部５を有して板面を左右に配した厚帯板状の立て馳ぜ部２が形成される。なお、馳ぜ締めの際に断熱シートを中間に巻き込んで締めこむこともできる。この立て馳ぜ部２に対して本実施形態の屋根上設備の支持フレームの取付金具１が取り付けられる。金属屋根部材は、例えば垂木やＣチャンネル部材に支持された野地板上にアスファルトルーフを敷き、その上に金属屋根部材が敷設されるのが通常である。
【００２４】
図１ないし図４において、本実施形態の屋根上設備の支持フレームの取付金具１は、細幅帯長板状の立て馳ぜ部の両側面に、立て馳ぜ部を挟むようにあてがわれて対向配置される一対の縦支持板１０、１１と、縦支持板の上端に連接された受部２０と、両縦支持板を近接方向に締め付ける締め付け機構３０と、縦支持板１０、１１に形成した膨拡部４０と、縦支持板１０、１１を曲げて膨拡部４０から一体に屈曲形成した下部圧接部６０と、を備えている。
【００２５】
本実施形態において、縦支持板１０、１１と受部２０と膨拡部４０と下部圧接部６０は１つの金属板材を曲げ形成して設けられている。縦支持板１０、１１は、立て馳ぜ部２を利用して屋根上設備の支持フレーム１１０（図６）の支持基礎部を形成する部位であり、２個の縦支持板１０、１１は立て馳ぜ部２の両側面に、立て馳ぜ部２を挟むようにあてがわれて対向配置され、その状態で締め付け機構３０を介して互いに近接する方向に押し付けられることにより支持フレーム１１０の支持のための基礎部分を形成する。
【００２６】
図１に示すように、実施形態において、縦支持板１０、１１は、例えば２ｍｍ厚のステンレス板を曲げ形成して成り、例えば横幅Ｘが７０ミリメートル、高さＹが６０ミリメートル（図２）程度のサイズで構成されている。これらのサイズは、具体的な屋根材のサイズや設置する屋根上設備の支持フレームの構成により支持部位の位置や数に応じて任意に変更することができる。図１において、縦支持板１０、１１は、相互に対向して締め付け機構で締め付けた状態では、正面視で上部を面合わせ閉じし、高さの半分よりやや高い位置である中間から下部側を開脚した構成であり、上部面合わせ閉じ部１２の下部側の開脚部分が膨拡部４０とされる。
【００２７】
詳細には、縦支持板１０、１１は正面視で上部面合わせ閉じ部１２の縦方向直線部１２ａと、直線部１２ａの下端に連接して下広がりに拡大した拡大部４１ａと、拡大部４１ａに連接して所要の拡大端から直線状に鉛直方向に伸びる拡大直線部４１ｂと、拡大直線部４１ｂに連接して所要の直線下端位置から立て馳ぜ部側となる拡小方向に向けて曲げられた拡小部４１ｃと、を含む。また、膨拡部４０は、拡大部４１ａと、拡大直線部４１ｂと、拡小部４１ｃと、を含む。
【００２８】
膨拡部４０は、縦支持板１０，１１の縦方向中間部に金属板の端どうしの巻き込み圧接により形成される一種のこぶ、あるいは塊部である馳ぜ締め結着部５を内包するように外側に膨拡して、内側空隙Ｅに屋根板の立て馳ぜ部２を配置させた状態で両縦支持板１０，１１を近接押し付け圧接可能とする干渉回避および収容のための拡大部である。
【００２９】
下部圧接部６０は、膨拡部４０に馳ぜ締め結着部５を内包した状態で屋根板Ｐの立て馳ぜ部２の下部に当接して締め付け機構３０を介して同下部を締め付けることにより、縦支持板１０、１１を立て馳ぜ部２に強固に外部連結固定させる部位であり、本実施形態において、図３に示すように、下部圧接部６０は立て馳ぜ部２の下部に当接して同下部を締め付け圧接する圧接端６２を備えている。圧接端６２は、膨拡部４０の拡小部４１ｃの下端部であり、この圧接端６２が立て馳ぜ部２の下部に当接して圧接されることにより、縦支持板１０，１１が屋根板Ｐの立て馳ぜ部２と一体連結され、強固に固定されて上部の受部２０の支持基礎部を形成する。なお、図３中、６４は、屋根下地材支持用の垂木、６５は、垂木６４に載置して固定支持された野地板、６６は野地板６５上に載置されたアスファルトルーフである。
【００３０】
さらに、本実施形態において、縦支持板１０，１１の下部圧接部６０の圧接端６２から屋根板材Ｐの上面に沿うように外側に曲折延長して屋根板当接板７０が圧接端から一体的に曲げて形成されている。屋根板当接板７０は、屋根板材Ｐの上面側にその底面が当接するように配置されている。これによって、屋根板Ｐに対する縦支持板１０，１１の直角方向への起立支持状態を特に安定的に保持させることができる。
【００３１】
実施形態において、締め付け機構３０は、一対の縦支持板１０，１１の縦方向中間部を両縦支持板の近接方向に締め付ける締め付け手段であり、具体的には、締め付け機構３０は、縦支持板の膨拡部４０に穿孔した孔４０２を貫通するボルト３２と、ボルトに螺合するナット３４と、を含む。本実施形態において、ボルト、ナットの取付位置は、屋根板の立て馳ぜ部２の上端よりも高位に設定してあり、ボルト、ナットによる締め込み作用が立て馳ぜ部２の存在により阻害されないようにしている。また、本実施形態において、２セットづつのボルト、ナットが縦支持板１０，１１の横方向直列位置において貫通し螺合固定するようになっている。なお、この締め付け機構３０は、両縦支持板１０，１１の外側からクランプする構造、レバー操作で締め付けと解放を行なう機構などを用いることができる。
【００３２】
受部２０は、縦支持板１０，１１の上端に連接され屋根上設備Ｒの支持フレーム１１０を受けて支持する支持手段であり、特にボルト、ナット、クランプその他の連結固定装置を介して屋根上設備の支持フレーム１１０を受部２０に対して直接または間接に固定支持する。図１実施形態において、受部２０は、それぞれの縦支持板１０，１１の上端から互いに離反するようにＬ字状に曲折された受板部２２を含む。すなわち、図１に示すように、本実施形態の取付金具１を構成する相互に対向配置された第１、第２金具１−１、１−２は、１つの金属板を曲げあるいは溶接により同一形状に構成されて受部のＬ字突設部が相互に離反するように背面合わせ状態で設置されている。したがって、構成部品が少なく、しかも製作数量が多くなってコスト低減に資する。実施形態の受板部２２は、図１，２に示すように長矩形板形状であり、それぞれの受板部２２に２個づつのボルト孔２４が穿孔されている。図３に示すように、このボルト孔２４に支持フレーム１１０の取付孔１１２を位置合わせてボルト、ナットからなる締結部材１１４により連結固定される。
【００３３】
次に、本実施形態の取付金具１を用いた屋根上設備の支持フレームの取付方法について説明すると、取付金具１の第１、第２金具１−１、１−２を屋根板Ｐの立て馳ぜ部２を中央にして背面合わせ状に配置し、膨拡部４０の内側に馳ぜ締め結着部５が内包されるように近接させる。第１、第２金具１−１、１−２が背面合わせ状に近接してもそれぞれの膨拡部４０は外側に向けて拡大しているから、縦支持板１０，１１の中間部が馳ぜ締め結着部５に干渉して近接方向への圧接力を減殺することはない。第１、第２金具１−１、１−２を背面合わせ状に配置し馳ぜ締め結着部５を膨拡部４０に内包させた状態で締め付け機構３０のボルト３２をボルト孔２４から挿通し、他端側にナット３４を螺着させて締め付けることにより（図５参照）、両縦支持板１０，１１を近接方向に圧接させる。これによって、下部圧接部６０の圧接端６２が大きな力で屋根板の立て馳ぜ部２の下部位置を挟み付け状に圧接し、これによって、第１、第２金具１−１，１−２を一体化した状態で立て馳ぜ部２を介して屋根板に連結固定させる。なお、このとき、図３のように、立て馳ぜ部２と膨拡部４０との間に少しの隙間が形成されていても下部圧接部６０の圧接端６２による圧接力が十分であれば、第１、第２金具を安定的に起立支持させることができる。さらに、本実施形態においては、縦支持板１０，１１の下部圧接部６０の圧接端６２から外側に曲折延長して屋根板上面に沿うように屋根板当接板７０が設けられているから、屋根板Ｐに対する縦支持板１０，１１の直角方向への起立支持を特に安定的に保持させることができる。
【００３４】
次に、図１０により、本考案の第２実施形態の屋根上設備の支持フレームの取付金具１Ａについて説明するが、第１実施形態と同一部材には同一符号を付し、その詳細な説明は省略する。本実施形態の取付金具１Ａでは、第１実施形態における下部圧接部６０の圧接端６２に屋根板当接板７０が接続することなく、単に圧接端６２で終端している。この第２実施形態のように、屋根板当接板７０が接続されていなくとも、第１、第２金具１−１、１−２の立て馳ぜ部２への連結固定は、圧接端６２による圧接力で十分に行われる。
【００３５】
以上説明したように、本考案の取付金具では、立て馳ぜ部を利用して屋根板自身に釘やビス孔を穿設することなく、しかも、簡単な構造で短時間の作業により屋根上設備の支持フレームを取付固定でき、太陽光モジュールパネルや、緑化基盤を搭載する緑化設備を低コストで取り付けることができる。
【００３６】
上記実施形態では、締め付け機構３０は縦支持板の上下中間部の膨拡部のみを近接方向圧接としているが、上面合わせ閉じ部１２をさらにボルトナット、やクランプその他の締結部材や締結機構により固定させてもよいし、また、受部２０における屋根上設備Ｒの支持フレームとの連結構成も孔をボルト貫通してナット止めするほか、同様に、クランプ、溶接、締結、締着、巻き付けその他の固定方法により固定させるようにすることもできる。
【産業上の利用可能性】
【００３７】
本考案の屋根上設備の支持フレームの取付金具及び、屋根上設備の支持フレームの取付構造は、上記した実施形態の構成に限定されることなく、実用新案登録請求の範囲に記載した考案の本質を逸脱しない範囲の改変も本考案に含まれる。
【符号の説明】
【００３８】
１  屋根上設備の支持フレームの取付金具
１−１  第１金具
１−２  第２金具
２  立て馳ぜ部
５  馳ぜ締め結着部
１０、１１  縦支持板
２０  受部
３０  締め付け機構
４０  膨拡部
６０  下部圧接部
６２  圧接端
７０  屋根板当接板
Ｒ  屋根上設備
１１０  支持フレーム
【図１】
0003159601.tif 000003
【図２】
0003159601.tif 000004
【図３】
0003159601.tif 000005
【図４】
0003159601.tif 000006
【図５】
0003159601.tif 000007
【図６】
0003159601.tif 000008
【図７】
0003159601.tif 000009
【図８】
0003159601.tif 000010
【図９】
0003159601.tif 000011
【図１０】
0003159601.tif 000012